(57)【特許請求の範囲】
【請求項１】
同報要求端末から複数の通信処理装置を通して該複数の通信処理装置に別々に収容されている一又は二以上の同報宛先端末へ同報情報を送信する同報システムにおいて、
前記複数の通信処理装置は、前記同報要求端末から同報要求を受けると、同報用主言語問い合わせ信号を生成して送信する第１の通信処理装置と、前記第１の通信処理装置から前記同報用主言語問い合わせ信号を受信すると共に、同報用主言語問い合わせ応答信号を前記第１の通信処理装置へ送信する、前記第１の通信装置以外の他の通信処理装置である第２の通信処理装置とからなり、
前記第２の通信処理装置は、前記同報用主言語問い合わせ信号の受信時に、自局が収容している一又は二以上の第２の同報宛先端末が選択した又はデフォルトで設定されている、主言語種別の情報を含む前記同報用主言語問い合わせ応答信号を生成して送信する送信手段を有し、
前記第１の通信処理装置は、前記同報要求受信時に、自局が収容している一又は二以上の第１の同報宛先端末が選択した又はデフォルトで設定されている主言語種別に対応した言語種別の同報情報を前記同報要求端末から受信するようにチャネルを設定して同報接続する第１の接続手段と、前記同報用主言語問い合わせ応答信号を受信して、その同報用主言語問い合わせ応答信号に設定されている前記主言語種別に対応した言語種別の同報情報を、前記第２の同報宛先端末が受信するように、前記同報要求端末との間のチャネルを設定して同報接続する第２の接続手段とを更に有することを特徴とする言語選択同報システム。
【請求項２】
前記第１の同報宛先端末にデフォルトで設定されている主言語種別は、該第１の同報宛先端末において使用された言語種別で呼又は対応サービスが実施されたときに言語種別毎に計数される使用回数のうち、最大の使用回数の言語種別であり、前記第２の同報宛先端末にデフォルトで設定されている主言語種別は、該第２の同報宛先端末において使用された言語種別で呼又は対応サービスが実施されたときに言語種別毎に計数される使用回数のうち、最大の使用回数の言語種別であることを特徴とする請求項１記載の言語選択同報システム。
【請求項３】
前記同報要求端末は、同一情報内容の複数の言語種別のメディア情報をそれぞれ発生する情報源と、前記第１の通信処理装置を経て受信した前記同報用主言語問い合わせ応答信号に設定されている主言語種別情報に基づいて前記情報源から前記複数の通信処理装置へ出力するメディア情報の言語種別を決定する手段とを少なくとも有することを特徴とする請求項１記載の言語選択同報システム。
【請求項４】
前記同報要求端末は、同一情報内容の複数の言語種別の画像情報をそれぞれ発生する画像情報源と、同一情報内容の複数の言語種別の音声言語情報をそれぞれ発生する音声言語情報源と、受信した前記同報用主言語問い合わせ応答信号に設定されている言語種別情報に基づいて前記画像情報源及び前記音声言語情報源から前記複数の通信処理装置へ出力する画像情報及び音声言語情報の言語種別を決定する手段と、前記第１及び第２同報宛先端末へ言語種別に関係なく共通の画像を出力する共通画像源とを有することを特徴とする請求項１記載の言語選択同報システム。
【請求項５】
前記第１及び第２の同報宛先端末は、それぞれ選択又はデフォルトで設定されている言語種別を変更するときに変更後の言語種別情報を有する言語種別変更信号を送信する手段を有し、前記第１及び第２の通信処理装置は、収容している前記第１及び第２の同報宛先端末から送信された前記言語種別変更信号を受信したときは該言語種別変更信号が有する前記変更後の言語種別の同報情報を前記同報要求端末から受信するようにチャネルを変更設定する変更処理手段と、言語種別変更応答信号を生成して前記言語種別変更信号を送信した前記第１又は第２の同報宛先端末へ返送する返送手段とを更に有することを特徴とする請求項１記載の言語選択同報システム。
【請求項６】
同報要求端末から複数の通信処理装置を通して該複数の通信処理装置に別々に収容されている一又は二以上の同報宛先端末へ同報情報を送信する同報システムにおいて、
前記同報要求端末から同報要求を、前記複数の通信処理装置のうちの第１の通信処理装置が受信することにより、同報用主言語問い合わせ信号を生成して送信する第１のステップと、
前記同報要求受信時に、前記第１の通信処理装置が収容している一又は二以上の第１の同報宛先端末が選択した又はデフォルトで設定されている、主言語種別に対応した言語種別の同報情報を前記同報要求端末から受信するようにチャネルを設定して同報接続する第２のステップと、
前記同報用主言語問い合わせ信号を第２の通信処理装置が受信することにより、前記第２の通信処理装置が収容している一又は二以上の第２の同報宛先端末に対して、該第２の同報宛先端末が選択した、又はデフォルトで設定されている主言語種別を取得する第３のステップと、
前記第２の通信処理装置が前記第２の同報宛先端末のそれぞれから取得した各同報宛先端末毎の主言語種別が設定された前記同報用主言語問い合わせ応答信号を生成して前記第１の通信処理装置へ送信する第４のステップと、
前記同報用主言語問い合わせ応答信号を前記第１の通信処理装置が受信し、受信した該同報用主言語問い合わせ応答信号に設定されている主言語種別に対応した言語種別の同報情報を前記同報要求端末から前記第２の同報宛先端末が受信するようにチャネルを設定して同報接続する第５のステップと
を含むことを特徴とする言語選択同報方法。
【請求項７】
前記第１の同報宛先端末にデフォルトで設定されている主言語種別は、該第１の同報宛先端末において使用された言語種別で呼又は対応サービスが実施されたときに言語種別毎に計数される使用回数のうち、最大の使用回数の言語種別であり、前記第２の同報宛先端末にデフォルトで設定されている主言語種別は、該第２の同報宛先端末において使用された言語種別で呼又は対応サービスが実施されたときに言語種別毎に計数される使用回数のうち、最大の使用回数の言語種別であることを特徴とする請求項６記載の言語選択同報方法。
【発明の詳細な説明】
【０００１】
【発明の属する技術分野】
本発明は言語選択同報システム及び言語選択同報方法に係り、特に通信の言語メディア選択トラヒック制御に関係する言語選択同報システム及び言語選択同報方法に関する。
【０００２】
【従来の技術】
従来より、所望の情報を複数の端末（同報宛先端末）に同時に送信する同報システムでは、通常は同一の言語の所望の情報を送信する。しかし、複数の同報宛先端末で使用する言語が異なる場合は、上記の同報システムでは対応できない。
【０００３】
一方、空港等で旅客に対しフライト情報を案内する自動放送装置の分野では、旅客の国籍別人数情報に応じて放送すべき言語を選択する手段と、この手段により選択された言語により上記のフライト情報を音声で出力する手段とを有する放送装置が知られている（特開平４−１７９３９９号公報）。
【０００４】
この放送装置を上記の同報システムに適用した場合、異なる言語を使用する複数の同報宛先端末のうち、複数の同報宛先端末使用者の国籍情報に応じて、自動的に同報する情報の言語を選択することにより、同報情報内容を使用言語が異なるために理解できないという現象を大幅に低減可能な言語選択同報システムが考えられる。
【０００５】
【発明が解決しようとする課題】
しかしながら、上述した言語選択同報システムでは、同報宛先端末使用者又は同報宛先端末が言語選択しない場合、最遠地点分岐すべき呼接続時の言語の同報情報（メディア）を決定できない。ここで、上記の「最遠地点分岐」とは、同報を実施する場合、情報送信端末（同報要求端末であることが多い）から、同報宛先端末まで使用する装置資源を節約することを目的として、できる限り、同報宛先端末に近い所まで情報（メディア）あるいは、それを通すチャネルを共有し、最小不可欠な部分で分岐することをいう。この場合、分岐位置は情報送信端末からできる限り遠地点となるため、情報送信端末の視点から最遠地点分岐という。
【０００６】
例えば、図１４に示すように、情報送信端末である同報要求端末２１から送信チャネルが３チャネルに分岐されてＡ局、Ｂ局を通して同報宛先端末２２−１、２２−２及び２２−３に同報送信する場合、図１５ではＡ局で分岐され、図１６ではＢ局で分岐されている。この場合、Ａ局よりもＢ局の方が同報宛先端末２２−１、２２−２及び２２−３に近いので、図１６が最遠地点分岐を示している。
【０００７】
このように、前述した言語選択同報システムでは、宛先端末又は同報宛先端末使用者に合った言語を選ぶ確率が必ずしも高くないという問題がある。また、上記の言語選択同報システムでは、同時に共有すべき同報情報（すなわち、最遠地点分岐すべきメディア）を決定できないという問題がある。
【０００８】
本発明は上記の点に鑑みなされたもので、同報宛先に対するサービス性を向上し得る言語選択同報システム及び言語選択同報方法を提供することを目的とする。
【０００９】
また、本発明の他の目的は、使用頻度の高いネットワーク言語に関する情報格納資源（ネットワーク資源）の使用効率化を向上し得る言語選択同報システム及び言語選択同報方法を提供することにある。
【００１０】
【課題を解決するための手段】
上記の目的を達成するため、本発明の言語選択同報システムは、同報要求端末から複数の通信処理装置を通して複数の通信処理装置に別々に収容されている一又は二以上の同報宛先端末へ同報情報を送信する同報システムにおいて、複数の通信処理装置は、同報要求端末から同報要求を受けると、同報用主言語問い合わせ信号を生成して送信する第１の通信処理装置と、第１の通信処理装置から同報用主言語問い合わせ信号を受信すると共に、同報用主言語問い合わせ応答信号を第１の通信処理装置へ送信する、第１の通信装置以外の他の通信処理装置である第２の通信処理装置とからなり、第２の通信処理装置は、同報用主言語問い合わせ信号の受信時に、自局が収容している一又は二以上の第２の同報宛先端末が選択した又はデフォルトで設定されている、主言語種別の情報を含む同報用主言語問い合わせ応答信号を生成して送信する送信手段を有し、第１の通信処理装置は、同報要求受信時に、自局が収容している一又は二以上の第１の同報宛先端末が選択した又はデフォルトで設定されている主言語種別に対応した言語種別の同報情報を同報要求端末から受信するようにチャネルを設定して同報接続する第１の接続手段と、同報用主言語問い合わせ応答信号を受信して、その同報用主言語問い合わせ応答信号に設定されている主言語種別に対応した言語種別の同報情報を、第２の同報宛先端末が受信するように、同報要求端末との間のチャネルを設定して同報接続する第２の接続手段とを更に有する構成としたものである。
【００１１】
この発明では、第１及び第２の同報宛先端末の少なくともいずれか一方が、使用する言語種別を選択しない場合でも、同報開始前に、デフォルトで設定されている主言語種別の同報情報を受信できるようにチャネルを設定するようにしたため、同報宛先端末に合った言語種別の同報情報を送信することができる。また、同報の既存技術の一つである最遠地点分岐ができる。
【００１２】
また、本発明は、上記の目的を達成するため、第１の同報宛先端末にデフォルトで設定されている主言語種別は、第１の同報宛先端末において使用された言語種別で呼又は対応サービスが実施されたときに言語種別毎に計数される使用回数のうち、最大の使用回数の言語種別であり、第２の同報宛先端末にデフォルトで設定されている主言語種別は、第２の同報宛先端末において使用された言語種別で呼又は対応サービスが実施されたときに言語種別毎に計数される使用回数のうち、最大の使用回数の言語種別であることを特徴とする。
【００１３】
この発明では、第１及び第２の同報宛先端末にデフォルトで設定されている主言語種別として、その同報宛先端末で使用された回数の最も多い言語種別に設定するようにしているため、その同報宛先端末の使用者に最も適合した言語種別の予測ができる。
【００１４】
また、本発明は、上記の同報要求端末を、同一情報内容の複数の言語種別のメディア情報をそれぞれ発生する情報源と、第１の通信処理装置を経て受信した同報用主言語問い合わせ応答信号に設定されている主言語種別情報に基づいて情報源から複数の通信処理装置へ出力するメディア情報の言語種別を決定する手段とを少なくとも有する構成としたことを特徴とする。
【００１５】
また、本発明は、上記の同報要求端末を、同一情報内容の複数の言語種別の画像情報をそれぞれ発生する画像情報源と、同一情報内容の複数の音声言語情報をそれぞれ発生する音声言語情報源と、受信した同報用主言語問い合わせ応答信号に設定されている言語種別情報に基づいて画像情報源及び音声言語情報源から複数の通信処理装置へ出力する画像情報及び音声言語情報の言語種別を決定する手段と、第１及び第２同報宛先端末へ言語種別に関係なく共通の画像を出力する共通画像源とを有する構成としたことを特徴とする。
【００１６】
また、本発明は、第１及び第２の同報宛先端末が、それぞれ選択又はデフォルトで設定されている言語種別を変更するときに変更後の言語種別情報を有する言語種別変更信号を送信する手段を有し、第１及び第２の通信処理装置が、収容している第１及び第２の同報宛先端末から送信された言語種別変更信号を受信したときは言語種別変更信号が有する変更後の言語種別の同報情報を同報要求端末から受信するようにチャネルを変更設定する変更処理手段と、言語種別変更応答信号を生成して言語種別変更信号を送信した第１又は第２の同報宛先端末へ返送する返送手段とを更に有することが、言語種別の変更ができるため望ましい。
【００１７】
また、本発明方法は上記の目的を達成するため、同報要求端末から複数の通信処理装置を通して複数の通信処理装置に別々に収容されている一又は二以上の同報宛先端末へ同報情報を送信する同報システムにおいて、同報要求端末から同報要求を、複数の通信処理装置のうちの第１の通信処理装置が受信することにより、同報用主言語問い合わせ信号を生成して送信する第１のステップと、同報要求受信時に、第１の通信処理装置が収容している一又は二以上の第１の同報宛先端末が選択した又はデフォルトで設定されている、主言語種別に対応した言語種別の同報情報を同報要求端末から受信するようにチャネルを設定して同報接続する第２のステップと、同報用主言語問い合わせ信号を第２の通信処理装置が受信することにより、第２の通信処理装置が収容している一又は二以上の第２の同報宛先端末に対して、第２の同報宛先端末が選択した、又はデフォルトで設定されている主言語種別を取得する第３のステップと、第２の通信処理装置が第２の同報宛先端末のそれぞれから取得した各同報宛先端末毎の主言語種別が設定された同報用主言語問い合わせ応答信号を生成して第１の通信処理装置へ送信する第４のステップと、同報用主言語問い合わせ応答信号を第１の通信処理装置が受信し、受信した同報用主言語問い合わせ応答信号に設定されている主言語種別に対応した言語種別の同報情報を同報要求端末から第２の同報宛先端末が受信するようにチャネルを設定して同報接続する第５のステップとを含むことを特徴とする。
【００１８】
この発明では、第１及び第２の同報宛先端末の少なくともいずれか一方が、使用する言語種別を選択しない場合でも、同報開始前に、デフォルトで設定されている主言語種別の同報情報を受信できるようにチャネルを設定するようにしたため、同報宛先端末に合った言語種別の同報情報を送信することができる。また、同報の既存技術の一つである最遠地点分岐ができる。
【００１９】
【発明の実施の形態】
次に、本発明の実施の形態について図面と共に説明する。図１乃至図３は本発明になる言語選択同報システムの一実施の形態の構成図を示し、そのうち、図２は本実施の形態の主要言語選択時動作説明図、図３は本実施の形態の言語種別選択処理動作説明図であり、各図中、同一構成部分には同一符号を付してある。また、主要言語選択動作時にのみ使用するブロックは図２のみに、言語種別選択処理動作時にのみ使用するブロックは図３のみに示してある。
【００２０】
図１乃至図３に示すように、この実施の形態は同報要求端末１と、同報メッセージを受信する同報宛先端末２−Ａ−２−１、２−Ａ―２−２、２−Ｂ−２−１などと、同報要求端末１から同報サービスの要求を受ける通信処理装置３と、同報宛先の宛先処理する通信処理装置４−１、４−２と、データ蓄積装置５−１、５−２、５−３とから構成されている。
【００２１】
ここで、同報宛先端末２−Ａ−２−１は、言語種別Ａを主として使用し、通信処理装置４−２に収容された１番目の端末であり、同報宛先端末２−Ａ−２−２は、言語種別Ａを主として使用し、通信処理装置４−２に収容された２番目の端末であり、同報宛先端末２−Ｂ−２−１は、言語種別Ｂを主として使用し、通信処理装置４−２に収容された１番目の端末であり、図１に示す同報宛先端末２−Ｂ−３−１は、言語種別Ｂを主として使用し、通信処理装置３に収容された１番目の端末であり、図１に示す同報宛先端末２−Ａ−１−１は、言語種別Ａを主として使用し、通信処理装置４−１に収容された１番目の端末を示す。なお、使用言語は後述するように、任意のタイミングで変更・選択可能である。
【００２２】
同報要求端末１は、共通動画情報源１１、言語種別Ａの個別言語画像情報源１２Ａ、言語種別Ｂの個別言語画像情報源１２Ｂ、言語種別Ａの個別音声言語情報源１３Ａ、言語種別Ｂの個別音声言語情報源１３Ｂ及び言語選択管理制御部１４を有している。また、図２及び図３を参照すると、同報要求端末側通信処理装置３には、同報指示側同報処理ブロックＢ１、同報用主言語問い合わせブロックＢ２、同報用主言語問い合わせ応答信号受信処理ブロックＢ３、及び言語種別変更処理ブロックＢ６が設置されている。
【００２３】
また、同報宛先端末側通信処理装置４−１及び４−２のそれぞれには、主言語問い合わせ信号処理ブロックＢ４、宛先側言語種別変更処理ブロックＢ７、宛先側同報処理ブロックＢ８、言語使用トラヒック収集ブロックＢ９、主言語選択ブロックＢ１０が設置されている。更に、データ蓄積装置５−１、５−２、５−３には、言語トラヒック登録テーブル６−１、６−２、６−３が設けられている。更に、図１乃至図３のＲｉ（ｉ＝１，２，３）は、通信処理装置３、４−１、４−２における使用言語トラヒック読取動作、Ｗｉ（ｉ＝１，２，３）は、通信処理装置３、４−１、４−２における使用言語トラヒック書込動作を示す。
【００２４】
次に、本実施の形態の動作について説明する。まず、図２に示すように、同報要求端末１内の言語選択管理制御部１４は、同報要求信号ＳＧ０を生成して送信し、これによる同報要求は、論理コネクションＣ−Ｍ−１を経由して通信処理装置３に受け付けられる。通信処理装置３はこの同報要求信号ＳＧ０を、内部に設置された同報指示側同報処理ブロックＢ１で受け付けると、図４のフローチャートに示すように、まず、同報用主言語問い合わせ信号送信処理ブロックＢ２を起動して同報用主言語問い合わせ信号送信処理を行わせる（ステップＳ１）。
【００２５】
同報用主言語問い合わせ信号送信処理ブロックＢ２は、ステップＳ１で起動されると、図５のフローチャートに示す動作を行う。すなわち、同報用主言語問い合わせ信号送信処理ブロックＢ２は、まず、同報用主言語問い合わせ信号を編集する（ステップＳ１１）。ここで、「編集」とは、プロトコル上必要なテータをコンピュータ上のメモリから収集し、プロトコル上の規定した信号の対応部分に格納することをいう。続いて、同報用主言語問い合わせ信号ＳＧ１を送信する（ステップＳ１２）。その後、待ち合わせをして（ステップＳ１３）、処理を終了する。処理終了後は、図２の同報指示側同報処理ブロックＢ１に制御が戻る。
【００２６】
上記の同報用主言語問い合わせ信号ＳＧ１の送信実行の後、同報指示側同報処理ブロックＢ１は、待ち合わせを行う（図４のステップＳ２）。その後、画像チャネル、音声言語チャネル、字幕言語チャネルを通信処理装置３と同報要求端末１の間に設定して、同報接続を実行する（図４のステップＳ３）。
【００２７】
次に、図２の宛先通信処理装置４−１、４−２との関係で動作を説明する。同報用主言語問い合わせ信号送信処理ブロックＢ２の制御により通信処理装置３から送信された同報用主言語問い合わせ信号ＳＧ１は、通信処理装置３と４−１及び４−２間を結ぶ論理コネクションＣ−Ｍ−２上を通じて通信処理装置４−１、４−２に受信される。通信処理装置４−１、４−２は受信した同報用主言語問い合わせ信号ＳＧ１を、内部に設置された同報用主言語問い合わせ信号受信処理ブロックＢ４において処理する。同様の処理が同報宛先側通信処理装置のそれぞれについて実行される。
【００２８】
次に、同報用主言語問い合わせ信号受信処理ブロックＢ４の動作を図６のフローチャートと共に説明する。まず、同報用主言語問い合わせ信号ＳＧ１を受信した後（ステップＳ２１）、図２の主言語選択ブロックＢ１０を起動する（ステップＳ２２）。この主言語選択ブロックＢ１０の動作を図７のフローチャートと共に説明する。主言語選択ブロックＢ１０は起動されると、まず、データ蓄積装置５−２、５−３内の言語トラヒック（同報宛先総個数）登録テーブル６−２、６−３を索引する（ステップＳ３１）。
【００２９】
続いて、言語種別使用回数が最大な使用回数をサーチし、対応インデックス値をサーチし主言語として決定する（ステップＳ３２）。この使用回数は、使用された言語種別で呼又は対応サービスが実施されたときに計数される（カウントアップされる）回数をいう。続いて、結果インデックス値対応言語を取り出し（ステップＳ３３）、主言語の言語種別を返送して（ステップＳ３４）、処理を終了する。
【００３０】
すなわち、主言語選択ブロックＢ１０で選択する主言語は、同報宛先側通信処理装置４−１、４−２それぞれで過去に使われた言語のうち、使用頻度が最大の言語のことであり、換言すると、同報宛先端末２−Ａ−２−１、２−Ａ−２−２、２−Ｂ−２−１などにおいて、又はこれら同報宛先端末が言語選択しないときは各通信処理装置４−１、４−２における過去のトラヒックからデフォルトでメディアを決定可能な第一候補の言語のことである。
【００３１】
図８は上記のステップＳ３１で索引する言語トラヒック（同報宛先総個数）登録テーブルの構造を示す。同図において、ｆ１は０番目に登録されている言語種別０とその言語種別０の使用回数を示す。ｆ２はｉ番目に登録されている言語種別ｉと言語種別ｉの使用回数を示す。ｆ３はＮ−１番目に登録されている言語種別Ｎ−１とその言語種別Ｎ−１の使用回数を示す。ｆ４はｊ番目に登録されている言語種別ｊとその言語種別ｊの使用回数を示す。
【００３２】
再び図６に戻って、同報用主言語問い合わせ信号受信処理ブロックＢ４の動作を説明する。同報用主言語問い合わせ信号受信処理ブロックＢ４は、上述のステップＳ２２の主言語選択ブロックＢ１０による前記の主言語選択処理の実行により、選択された主言語の言語種別を入力として受けると、その言語種別の主言語を同報用主言語問い合わせ応答信号ＳＧ２に設定する（ステップＳ２３）。続いて、主言語を設定した上記の同報用主言語問い合わせ応答信号ＳＧ２を、問い合わせ元通信処理装置へ送信する（ステップＳ２４）。これにより、同報用主言語問い合わせ信号受信処理ブロックＢ４の制御で送出された同報用主言語問い合わせ応答信号ＳＧ２は、図２において通信処理装置間を結ぶ論理コネクションＣ−Ｍ−２上を通じて同報要求側通信処理装置３に受信され、更に同報要求端末１へ送信される。
【００３３】
また、通信処理装置３の内部に設置された同報用主言語問い合わせ応答信号処理ブロックＢ３は、図９のフローチャートに従った処理を行う。すなわち、同報用主言語問い合わせ応答信号処理ブロックＢ３は、同報用主言語問い合わせ応答信号ＳＧ２を受信すると、その受信した同報用主言語問い合わせ応答信号ＳＧ２から主言語種別を取り出す（ステップＳ４１）。
【００３４】
そして、取り出した主言語種別に基づいて、記憶装置５−１内の言語−メディアチャネル変換テーブルを索引し（ステップＳ４２）、主言語種別に対応したメディアソースチャネルを設定する（ステップＳ４３）。続いて、設定したメディアソースチャネルに基づいて画像チャネル、音声言語チャネル、字幕言語チャネルを設定して、同報用主言語問い合わせ応答信号ＳＧ２の送信元と同報要求端末１との同報接続を実行する（ステップＳ４４）。
【００３５】
これにより、本実施の形態によれば、図１に示すように、同報宛先端末２−Ｂ−３−１には同報要求端末１内の個別言語画像情報源１２Ｂからの言語Ｂの画像情報が論理コネクションＣ−Ｐ−Ｂ−１、Ｃ−Ｐ−Ｂ−Ｅを通して入力され、個別音声言語情報源１３Ｂからの言語Ｂの音声情報が論理コネクションＣ−Ｖ−Ｂ−１を通して入力される。言語Ａ又は言語Ｂを主言語とする他の同報宛先端末に対しても図１に示す各論理コネクションを経由して個別言語画像及び個別音声言語が同報情報として入力される。
【００３６】
なお、共通動画情報源１１からの共通動画情報は、使用言語に関係のない画像情報であるので、論理コネクションＣ−Ｃ−１、Ｃ−Ｃ−２を経由してすべての同報宛先端末に同報情報として共通に入力される。すなわち、同報情報はすべての同報宛先端末に対して同一内容であるが、使用言語により情報内容が左右される個別言語画像情報と個別音声言語情報とは各同報宛先端末毎にその同報宛先端末の主言語で送信され、使用言語に無関係な共通動画情報はすべての同報宛先端末に共通に送信される。
【００３７】
また、図１から分かるように、言語Ａを主言語とする同報宛先端末は通信処理装置３には収容されておらず、同報要求端末１に対して通信処理装置３よりも遠距離の通信処理装置４−１に２−Ａ−１−１が収容されているため、本実施の形態では、言語Ａの個別言語画像情報及び個別音声言語情報は、通信処理装置３では分岐されず、最遠地点の通信処理装置４−１で分岐され、論理コネクションＣ−Ｐ−Ａ−Ｅ、Ｃ−Ｖ−Ａ−Ｅを経由して同報宛先端末２−Ａ−１−１に入力される。なお、図１乃至図３中、Ｃ−Ｍ−ｉ（ｉ＝１〜２）は制御信号転送のための論理コネクションを示す。
【００３８】
次に、図３を中心に言語の選択の変更が行われた時の動作について説明する。いま、図３に示すように、通信処理装置４−２が収容する端末２−Ｂ−２−１が言語種別変更信号ＳＧ３を受信したものとする。通信処理装置４−２は、言語種別変更信号ＳＧ３を受信すると、宛先側言語種別変更処理ブロックＢ７を起動して図１０のフローチャートに示す動作を実行する。
【００３９】
すなわち、宛先側言語種別変更処理ブロックＢ７は、受信した言語種別変更信号ＳＧ３を、同報指示側通信処理装置３に送出する（ステップＳ５１）。図３の論理コネクションＣ−Ｍ−２を通じて言語種別変更信号ＳＧ３を受信した同報要求側通信処理装置３は、内部の言語種別変更処理ブロックＢ６を起動し、図１１のフローチャートに従って同報指示側言語変更処理を実施する。すなわち、言語種別変更処理ブロックＢ６は、受信した言語種別変更信号ＳＧ３に設定されている変更言語種別を取り出し（ステップＳ６１）、また、対応言語のチャネル設定を取り出し（ステップＳ６２）、これらに基づいて変更後の言語種別に対応したチャネル情報を含む言語種別変更応答信号ＳＧ４を生成して変更要求元の通信処理装置４−２へ返送し（ステップＳ６３）、言語対応チャネル変更を実施する（ステップＳ６４）。
【００４０】
宛先側局の通信処理装置４−２内の宛先側言語種別変更処理ブロックＢ７では、図１０のステップＳ５１の言語種別変更信号ＳＧ３送出後、言語種別変更応答信号の受信を待ち合わせており（図１０のステップＳ５２）、同報要求側通信処理装置３からの上記の言語種別変更応答信号ＳＧ４を受信すると（ステップＳ５３）、宛先側言語種別変更処理を終了する。これにより、通信処理装置４−１、４−２に収容されている同報宛先端末は、任意のタイミングで希望の言語種別に変更することができる。
【００４１】
次に、言語別トラヒック収集の契機について、図１２及び図１３のフローチャートと共に説明する。図３に示す通信処理装置４−１、４−２内の宛先側同報処理ブロックＢ８は、図１２のフローチャートに示すように、（一般）宛先同報接続処理を行い（ステップＳ７１）、その後に、言語使用トラヒック収集ブロックＢ９を起動する（ステップＳ７２）。ステップＳ７１の宛先同報接続処理は、画像チャネル、音声言語チャネル、字幕言語チャネルを設定して同報接続処理を行う処理である。
【００４２】
図１２のステップＳ７２で言語使用トラヒック収集ブロックＢ９が起動されると、図１３のフローチャートに示すように、まず、言語トラヒック登録テーブルを参照し（ステップＳ８１）、指定言語をサーチする（ステップＳ８２）。そして、サーチ部分言語種別使用回数を１加算し、言語トラヒック登録テーブルを更新する（ステップＳ８３）。
【００４３】
このように、本実施の形態では、同報要求端末１が同報宛先端末に対して同報通信する前に、各同報宛先端末毎にその同報宛先端末で使用された過去の使用言語トラヒックから最大トラヒックの使用言語を、同報宛先端末が言語選択しない時、デフォルトでメディアを決定可能な第一候補の言語（すなわち、主言語）として各通信処理装置３、４−１、４−２を通して収集し、その主言語に応じて最遠地点分岐するようにしたため、サービス性を向上できると共に、ネットワーク資源を効率化することができる。
【００４４】
なお、本発明は使用言語を２種類としたが、３種類以上であっても同様にして本発明を適用できることは勿論である。また、同報宛先端末の主言語をネットワークトラヒック管理局から取得するようにしてもよい。
【００４５】
【発明の効果】
以上説明したように、本発明によれば、第１及び第２の同報宛先端末の少なくともいずれか一方が、使用する言語種別を選択しない場合でも、同報開始前に、デフォルトで設定されている主言語種別の同報情報を受信できるようにチャネルを設定することにより、同報宛先端末に合った言語種別の同報情報を送信するようにしたため、同報通信のサービス性を向上することができる。
【００４６】
また、本発明によれば、同時に共有すべき同報情報である最遠地点で分岐すべき呼接続時の言語のメディアを決定できるため、ネットワーク資源の使用の効率化を実現できる。更に、本発明によれば、第１及び第２の同報宛先端末にデフォルトで設定されている主言語種別として、その同報宛先端末で使用された回数の最も多い言語種別に設定することにより、その同報宛先端末の使用者に最も適合した言語種別の予測を行うようにしたため、同報宛先端末の利便性を増すことができる。
【図面の簡単な説明】
【図１】本発明の一実施の形態の構成図である。
【図２】本発明の一実施の形態の主要言語選択時動作説明図である。
【図３】本発明の一実施の形態の言語種別選択処理動作説明図である。
【図４】本発明の一実施の形態における同報指示側同報処理説明用フローチャートである。
【図５】図２中の同報用主言語問い合わせブロックＢ２の動作説明用フローチャートである。
【図６】図２中の同報用主言語問い合わせ信号受信処理ブロックＢ４の動作説明用フローチャートである。
【図７】図２中の主言語選択ブロックＢ１０の動作説明用フローチャートである。
【図８】言語トラヒック（同報宛先総個数）登録テーブルの一例の構造を示す図である。
【図９】図２中の同報用主言語問い合わせ応答信号処理ブロックＢ３の動作説明用フローチャートである。
【図１０】図３中の宛先側言語種別変更処理ブロックＢ７の動作説明用フローチャートである。
【図１１】図３中の言語種別変更処理ブロックＢ６の動作説明用フローチャートである。
【図１２】図３中の宛先側同報処理ブロックＢ８の動作説明用フローチャートである。
【図１３】図３中の言語使用トラヒック収集ブロックＢ９の動作説明用フローチャートである。
【図１４】最遠地点分岐の説明図（その１）である。
【図１５】最遠地点分岐の説明図（その２）である。
【図１６】最遠地点分岐の説明図（その３）である。
【符号の説明】
１  同報要求端末
２−Ａ−１−１  通信処理装置４−１に収容された、言語種別Ａを主として使用する１番目の同報宛先端末
２−Ａ−２−１  通信処理装置４−２に収容された、言語種別Ａを主として使用する１番目の同報宛先端末
２−Ａ−２−２  通信処理装置４−２に収容された、言語種別Ａを主として使用する２番目の同報宛先端末
２−Ｂ−２−１  通信処理装置４−２に収容された、言語種別Ｂを主として使用する１番目の同報宛先端末
２−Ｂ−３−１  通信処理装置３に収容された、言語種別Ｂを主として使用する１番目の同報宛先端末
３  同報要求側通信処理装置
４−１、４−２  同報宛先側通信処理装置
５−１、５−２、５−３  データ蓄積装置
６−１、６−２、６−３  言語トラヒック登録テーブル
１１  共通動画情報源
１２Ａ、１２Ｂ  個別言語画像情報源
１３Ａ、１３Ｂ  個別音声言語情報源
１４  言語選択管理制御部
Ｂ１  同報指示側同報処理ブロック
Ｂ２  同報用主言語問い合わせ信号送信処理ブロック
Ｂ３  同報用主言語問い合わせ応答信号処理ブロック
Ｂ４  同報用主言語問い合わせ信号受信処理ブロック
Ｂ６  言語種別変更処理ブロック
Ｂ７  宛先側言語種別変更処理ブロック
Ｂ８  宛先側同報処理ブロック
Ｂ９  言語使用トラヒック収集ブロック
Ｂ１０  主言語選択ブロック
ＳＧ０  同報要求信号
ＳＧ１  同報用主言語問い合わせ信号
ＳＧ２  同報用主言語問い合わせ応答信号
ＳＧ３  言語種別変更信号
ＳＧ４  言語種別変更応答信号
Ｃ−Ｃ−ｉ（ｉ＝１〜２）  共通メディア情報転送のための通信処理装置への論理コネクション
Ｃ−Ｐ−Ａ−ｉ（ｉ＝１〜２）  言語種別Ａの個別画像情報転送のための論理コネクション
Ｃ−Ｐ−Ｂ−ｉ（ｉ＝１〜２）  言語種別Ｂの個別画像情報転送のための論理コネクション
Ｃ−Ｖ−Ａ−ｉ（ｉ＝１〜２）  言語種別Ａの個別音声言語情報転送のための論理コネクション
Ｃ−Ｖ−Ｂ−ｉ（ｉ＝１〜２）  言語種別Ｂの個別音声言語情報転送のための論理コネクション
Ｃ−Ｍ−ｉ（ｉ＝１〜２）  制御信号転送のための論理コネクション
【図１】
0003580239.tif 000002
【図２】
0003580239.tif 000003
【図３】
0003580239.tif 000004
【図４】
0003580239.tif 000005
【図５】
0003580239.tif 000006
【図６】
0003580239.tif 000007
【図７】
0003580239.tif 000008
【図８】
0003580239.tif 000009
【図９】
0003580239.tif 000010
【図１０】
0003580239.tif 000011
【図１１】
0003580239.tif 000012
【図１２】
0003580239.tif 000013
【図１３】
0003580239.tif 000014
【図１４】
0003580239.tif 000015
【図１５】
0003580239.tif 000016
【図１６】
0003580239.tif 000017